(57)【特許請求の範囲】
【請求項１】
電動送風機と、コード巻き取り装置と、導電部材を収納する凹状の導電部材収納部を有し前記コード巻き取り装置に取付けられて前記電動送風機との仕切りをなす隔壁と、該隔壁の導電部材収納部を着脱自在に覆う蓋体とを備えた掃除機本体を有し、
前記隔壁を、軸方向に開口部を有し、開口側先端に、弾性変形して内側に変位し本来の形状に戻ることで係止する係止片を有する軸部により、前記コード巻き取り装置に連結して該コード巻き取り装置に固定するとともに、
前記蓋体に、前記隔壁に係止する係止片、及び前記蓋体の中心軸上に前記係止片より長く形成され前記軸部の開口部に嵌入して軸抜けを防止する突起部を設けて、該蓋体を前記隔壁に固定することを特徴とする電気掃除機。
【発明の詳細な説明】
【０００１】
【発明の属する技術分野】
本発明は、電気掃除機に係り、より詳しくは、絶縁不良や軸部の抜けを防止して組立性を向上させることができるコード巻き取り装置を備えた電気掃除機に関するものである。
【０００２】
【従来の技術】
図４は例えば特公平７ー３２７４３号公報に開示された従来の電気掃除機の一例を示す一部を断面にして示した平面図、図５（ａ），（ｂ）は図４の要部の平面図および断面図、図６は図４の要部を一部断面にして示した平面図である。また、図７は一般的なコード巻き取り装置の一例を示す縦断面図である。
【０００３】
図４において、３は電気掃除機内に配設された電動送風機で、掃除機本体１ａと一体に形成した防音壁２０により囲まれた状態で掃除機本体１ａ内に収納され、前側支持ゴム２１および後側支持ゴム２２によって支持されている。この電動送風機３は、図６に示すように、送風機２３と整流子電動機２４により構成され、整流子電動機２４には整流子２５、刷子２６が設けられ、モーター排気口４が開口してある。
５はコードを巻き取るためのコード巻き取り装置であり、その軸１３ａを隔壁６に取り付けネジ２７によって回転自在に取り付けてある。なお、コード巻き取り装置５の軸１３ａは、隔壁６と反対の位置で、支持リブ２８により支持されている。
【０００４】
なお、一般的なコード巻き取り装置の構成は、図７に示すように、巻枠２９の中心に筒状のプラスチック部品で構成された軸１３ａが挿入され、ゼンマイ収納部３０は固定ネジ３１ａにて巻枠２９に固定されている。そして、軸１３ａの先端にある爪３１によって、隔壁６とコード巻き取り装置５が一体に固定されている。この固定は、軸１３ａが隔壁６へ挿入されるとき、軸１３ａが筒状であるために、爪３１は内側に変位し、挿入後は元の状態に戻ることによって行われる。こうして、コード巻き取り装置５は、隔壁６と軸１３ａのコード巻き取り装置固定端３２によって、電気掃除機本体１ａに固定されている。
【０００５】
本体隔壁６は、図４に示すように、その前後を掃除機本体１ａと一体に形成された支持リブ３３，３４により支持され、掃除機本体１ａ内を電動送風機３とコード巻き取り装置５とに仕切っている。なお、隔壁６には、図５に示すように、孔３５が複数個設けられており、この孔３５の背後にフェルト等の吸音材３６が貼付けられている。３７は電源供給用の接点である。３８はコード巻き取り装置５を収納するコード収納空間であり、電動送風機３の排気通路９とは、この通路に面している隔壁６の孔３５によって連通している。
２は電気掃除機の本体把手、３９は掃除機本体１ａに設けた吸気口、４０は主フィルタ、４１は二次フィルタ、１０は排気通路９と連通している排気口である。なお、４２は電源回路部品である。
【０００６】
次に、電気掃除機の作用について説明する。空気は、矢印で示すように、吸込口３９から掃除機本体１ａ内に入り、主フィルタ４０を通って二次フィルタ４１に至り、ここから電動送風機３内に入りその排出口４から排出され、排気通路９を通って、すなわち、電動送風機３と、コード巻き取り装置５を取り付けた隔壁６との間を通って、排気口１０より掃除機本体１ａの外に排出される。この際、隔壁６には複数個設けられた孔３５があるので、その孔３５とコード収納空間３８が一種の消音器となり、排気音を低減する。孔３５の裏面に吸音材３６としてフェルトを貼付けることによって、さらなる吸音効果が発生する。
なお、上記のようにして空気が流れる際に、高速で回転する電動送風機３の整流子２５に弾接している導電性のカーボンよりなる刷子２６が磨耗して、その導電性のカーボン粉末が、モーターの排気流に乗って、モーター排気口４より排気される。
【０００７】
【発明が解決しようとする課題】
上記のようなコード巻き取り装置５を備えた電気掃除機では、電動送風機３からの排気が、コード巻き取り装置５を取り付けた隔壁６の孔３５から、電源供給用の接点３７の近傍を通ることになる。このため、電動送風機３の導電性のカーボン粉末が、電動送風機３の排気に混ざり、電源供給用の接点３７の近傍の絶縁不良を起こす恐れがあった。
また、電気掃除機は部屋間を移動したり、動きながら使用することが多く、一般的な家庭用電気製品のように据え置きされることはほとんどない。そのため、図７に示す一般的なコード巻き取り装置の場合は、長期間の使用や、持ち運び時の振動によって、軸１３ａの爪３１が内側に変位して、隔壁６からはずれてしまう恐れがあった。
【０００８】
本発明は上記のような課題を解決するためになされたもので、電動送風機から流出するカーボンによる絶縁不良を防止するとともに、軸のはずれを防止することができる電気掃除機を提供することを目的とする。
【０００９】
【課題を解決するための手段】
本発明は、電動送風機と、コード巻き取り装置と、導電部材を収納する凹状の導電部材収納部を有しコード巻き取り装置に取付けられて電動送風機との仕切りをなす隔壁と、隔壁の導電部材収納部を着脱自在に覆う蓋体とを備えた掃除機本体を有し、隔壁を、軸方向に開口部を有し、開口側先端に、弾性変形して内側に変位し本来の形状に戻ることで係止する係止片を有する軸部により、コード巻き取り装置に連結してコード巻き取り装置に固定するとともに、蓋体に、隔壁に係止する係止片、及び蓋体の中心軸上に係止片より長く形成され軸部の開口部に嵌入して軸抜けを防止する突起部を設けて、蓋体を隔壁に固定するようにした。これによって、電動送風機からの排気に混じった導電性のカーボン粉が導電部材収納部に侵入するのを防止して、絶縁不良を防ぐ。また、軸部先端に設けた係止部の変位を防止して、振動、衝撃からの軸の抜けを防ぐ。さらに、軸開口部への突起部の挿入を確認し、さらに隔壁への位置合わせも行う。
【００１２】
【発明の実施の形態】
［実施の形態］
図１は本発明の実施の形態の一部を断面にして示した平面図、図２は図１の要部の断面図、図３は図２の分解斜視図である。図において、１は電気掃除機の掃除機本体、２は本体把手である。３は掃除機本体１内に配設した電動送風機、４は電動送風機３に設けたモーター排気口、５はコード巻き取り装置である。６は電動送風機３とコード巻き取り装置５の仕切りをなす円盤状の隔壁で、中心部に円筒状の貫通穴６ｃを有する凹部６ａと、外周に設けたフランジ部６ｂとからなり、掃除機本体１に固定されてコード巻き取り装置５を支持している。７は隔壁６の凹部６ａに形成された導電部材収納部で、この導電部材収納部７内にはヒューズ、電源供給用端子等が配置されている。８は隔壁６の凹部６ａの上面に着脱自在に取り付けた蓋体で、プラスチックで構成された円盤状をなし、導電部材収納部７の凹部６ａを閉じて閉空間化する。なお、９は排気通路、１０は排気口である。
【００１３】
次に、図２、図３を用いて詳述すると、１１、１２はコード巻き取り装置５のゼンマイ収納部及び巻枠であり、ゼンマイ収納部１１はコードを巻き取る際の動力となるゼンマイを収納し、巻枠１２は内部に電源供給用の接点を持つ。１３はプラスチック部品からなる円筒状の軸であり、軸開口部１４を有し、先端部に係止爪１５を有している。
１６は蓋体８を隔壁６に係止するために蓋体８の円周上に設けた固定用の係止片である。１７は蓋体８から突出させた軸抜け防止用の突起部で、蓋体８の中心軸上に設けられ、係止片１６よりも長く形成されており、コード巻き取り装置５の軸開口部１４に挿入される。
【００１４】
上記のように構成した実施の形態の作用を説明する。まず、図２、図３によって、コード巻き取り装置５の組立工程を説明する。コード巻き取り装置５を構成するゼンマイ収納部１１と巻枠１２の中心軸上に軸１３を通し、ゼンマイ収納部１１と巻枠１２をネジ１２ａによって固定する。このとき、ゼンマイ収納部１１及び巻枠１２と軸１３との間には隙間があり、ゼンマイ収納部１１と巻枠１２は軸１３に対して回転自在となっている。次に、軸１３の先端部を隔壁６の貫通穴６ｃに挿入する。その際、軸１３の先端に設けた係止爪１５は、軸１３がプラスチック製品であるので、弾性変形して内側に変位し、特定の箇所で本来の形状に戻り、隔壁６に固定される。
【００１５】
次に、蓋体８を、蓋体８から突出している係止片１６によって隔壁６に取り付ける。この際、蓋体８の中央部から突出した軸抜け防止用の突起部１７が、軸１３の軸開口部１４に挿入される。これにより、軸１３の先端部に設けた係止爪１５は、軸抜け防止用の突起部１７があるために、コード巻き取り装置５に振動や衝撃が加わっても、物理的に内側に変位することがなくなる。この場合、蓋体８を隔壁６に取り付ける際、軸抜け防止用の突起部１７が係止片１６より長いため、係止片１６が隔壁６に固定されるより先に、軸抜け防止用の突起部１７が軸開口部１４に挿入されることになる。このため、組立作業者が、確実に、軸開口部１４に軸抜け防止用の突起部１７が挿入されたことを確認でき、さらに、軸抜け防止用の突起部１７は蓋体８の中心軸上に構成されているため、隔壁６への位置決めが容易となる。
【００１６】
次に、図１によって、電気掃除機内の排気の流れを説明する。空気は、電気掃除機の吸込口から掃除機本体１内に入り、電動送風機３内を通って、矢印で示すように、モータ排気口４から排出され、排気通路９を通り、排気口１０より掃除機本体３の外に排出される。この際、蓋体８によって、隔壁６の凹部６ａに設けた導電部材収納部７が密閉されているため、電動送風機３の排気は、コード巻き取り装置５の内部に侵入することなく、掃除機本体１の外に排出される。こうして、電動送風機３の排気による導電性のカーボン粉の侵入を防ぐことができる。
【００１７】
【発明の効果】
以上の説明から明らかなように、本発明にかかる電気掃除機は、電動送風機と、コード巻き取り装置と、導電部材を収納する凹状の導電部材収納部を有しコード巻き取り装置に取付けられて電動送風機との仕切りをなす隔壁と、隔壁の導電部材収納部を着脱自在に覆う蓋体とを備えた掃除機本体を有し、隔壁を、軸方向に開口部を有し、開口側先端に、弾性変形して内側に変位し本来の形状に戻ることで係止する係止片を有する軸部により、コード巻き取り装置に連結してコード巻き取り装置に固定するとともに、蓋体に、隔壁に係止する係止片、及び蓋体の中心軸上に係止片より長く形成され軸部の開口部に嵌入して軸抜けを防止する突起部を設けて、蓋体を前記隔壁に固定するようにした。これによって、隔壁に取り付けた蓋体によって導電部材が集約している導電部材収納部が閉じられ、このため、電動送風機からの排気に混じった導電性のカーボン粉の侵入を防ぎ、電動供給用の接点付近の絶縁不良の発生を防止することができる。また、蓋体から突出した突起部をコード巻き取り装置の軸開口部に挿入して、軸部の先端に形成された係止部である係止爪の変位を物理的に防止するようにしたので、振動、衝撃による隔壁からの軸部の抜けを防止することができる。さらに、蓋体の隔壁への取付けの際に蓋体の中心軸上に位置する突起部の軸開口部への挿入を確認することができ、その上位置決めが容易となる。
【図面の簡単な説明】
【図１】  本発明の実施の形態の一部を断面にした平面図である。
【図２】  図１の要部の拡大断面図である。
【図３】  図２の分解斜視図である。
【図４】  従来の電気掃除機の一例を示す一部を断面にした平面図である。
【図５】  図４の要部の平面図及び断面図である。
【図６】  図４の電動送風機の一部を断面にした平面図である。
【図７】  一般的なコード巻き取り装置の一例を示す縦断面図である。
【符号の説明】
１  掃除機本体、３  電動送風機、５  コード巻き取り装置、６  隔壁、７  導電部材収納部、８  蓋体、１３  軸、１４  軸開口部、１６  固定用の係止爪、１７  軸抜け防止用の突起部。
【図１】
0003909512.tif 000002
【図２】
0003909512.tif 000003
【図３】
0003909512.tif 000004
【図４】
0003909512.tif 000005
【図５】
0003909512.tif 000006
【図６】
0003909512.tif 000007
【図７】
0003909512.tif 000008